(57)【特許請求の範囲】
【請求項１】
ＣＲＴのフォーカス特性向上のために導入されているダイナミックフォーカス回路におけるパラボラ信号発生装置において、同期信号を入力とし、入力された同期信号に同期したのこぎり波を出力するのこぎり波発生手段と、前記のこぎり波発生手段の出力を入力とし、ある設定値との差分を演算し、その絶対値を出力する絶対値作成手段と、前記絶対値作成手段の出力を入力とし、前記差分信号の極性が正の領域における入力信号のゲインをコントロールし出力する前段ゲインコントロール手段と、前記絶対値作成手段の出力を入力とし、前記差分信号の極性が負の領域における入力信号のゲインをコントロールし出力する後段ゲインコントロール手段と、前記前段ゲインコントロール手段の出力と、前記後段ゲインコントロール手段の出力とを加算し出力する加算手段と、前記加算手段の出力を入力とし、直線で示される前記入力信号を適当な次数に変換し出力するパラボラ波発生手段とを備え、ＣＲＴ表示領域端のフォーカスを上下及び左右を別々に調整できることを特徴とするパラボラ信号発生装置。
【請求項２】
請求項１に記載の絶対値作成手段において、設定値を可変とすることを特徴とする請求項１に記載のパラボラ信号発生装置。
【発明の詳細な説明】
【０００１】
【発明の属する技術分野】
本発明は、テレビジョン受像機やディスプレイの偏向回路やダイナミックフォーカス回路（以下ＤＡＦと称す）における、パラボラ信号発生装置に関するものである。
【０００２】
【従来の技術】
近年、テレビジョン受像機やディスプレイの大型画面化に伴う陰極線管（以下ＣＲＴとの略称する）のフォーカス特性向上の為、ＤＡＦ回路が導入されＣＲＴの周辺フォーカス特性を向上させてきている。ＤＡＦ回路においてはパラボラ波形を発生させ、ＣＲＴのフォーカス端子に重ねあわせてその目的を達成している。
【０００３】
以下、図面を参照しながら、上述した従来のパラボラ信号発生装置の一例について説明を行う。
【０００４】
図４は、特開平５−２２０８６号公報で提案されているパラボラ信号発生装置のブロック構成図を示すものである。図４のブロック構成図において４０１は信号入力端であり、４０２はのこぎり波発生装置、４０３は絶対値出力装置、４０４は対数アンプ、４０５は直線アンプ、４０６は逆対数アンプである。
【０００５】
以上のように構成されたパラボラ信号発生装置について、図５を用いてその動作について説明する。
【０００６】
まず、４０１から入力された、図５（ａ）に示されるような同期パルス４０Ａは、のこぎり波発生装置に入力され、図５（ｂ）に示すのこぎり波４０Ｂを得る。のこぎり波４０Ｂは絶対値装置４０３により、のこぎり波のセンター値に設定されたバイアス設定値４０Ｇをリファレンスレベル（以下、Ｒｅｆと称す）としてその絶対値を出力し、絶対値信号４０Ｃを得る。得られた絶対値信号４０Ｃは、対数アンプ４０４にて対数をとられ、直線アンプ４０５にてα倍された後、逆対数アンプ４０６にて逆対数をとられる。結果、４０ＣをＹ＝Ｘで表す直線とすると、Ｙ＝Ｘαで表される高次曲線をもつ信号に変換され、出力パラボラ信号４０Ｆを得る。
【０００７】
【発明が解決しようとする課題】
しかしながら上記のような構成では、次のような問題点を有している。
得られたパラボラ波を用いて実際にフォーカス電圧を変調する際、パラボラ波を重畳する回路における電気的歪やＣＲＴでのフォーカス電圧を印加する際の電気−磁気特性のばらつき等により、管面でのフォーカスは上下端、左右端で等しいものにはならない。言いかえると、図５のＡ及びＢ点での電圧は必ずしも等しいものが最良とは言えず、Ａ点での電圧及びＢ点での電圧はその組み合わされる回路素子のばらつきやＣＲＴ自体のばらつきにより異なる。従来の構成ではこのような状態に対しての対応が不可能であった。仮に波形の位相をずらしてＡ点での電圧及びＢ点での電圧を最適化したとしてもセンターの電圧がずれてしまうのでこの方法では問題を解決できない。
【０００８】
【課題を解決するための手段】
上記問題点を解決するために本発明のパラボラ信号発生装置は、入力された同期信号に同期したのこぎり波を出力するのこぎり波発生手段と、前記のこぎり波発生手段の出力を入力とし、ある設定値との差分を演算し、その絶対値を出力する絶対値作成手段と、前記絶対値作成手段の出力を入力とし、前記差分信号の極性が正の領域における入力信号のゲインをコントロールし出力する前段ゲインコントロール手段と、前記絶対値作成手段の出力を入力とし、前記差分信号の極性が負の領域における入力信号のゲインをコントロールし出力する後段ゲインコントロール手段と、前記前段ゲインコントロール手段の出力と、前記後段ゲインコントロール手段の出力とを加算し出力する加算手段と、前記加算手段の出力を入力とし、直線で示される前記入力信号を適当な次数に変換し出力するパラボラ波発生手段という構成を備えたものである。
【０００９】
【発明の実施の形態】
本発明の請求項１に記載の発明は、ＣＲＴのフォーカス特性向上のために導入されているダイナミックフォーカス回路におけるパラボラ信号発生装置において、同期信号を入力とし、入力された同期信号に同期したのこぎり波を出力するのこぎり波発生手段と、前記のこぎり波発生手段の出力を入力とし、ある設定値との差分を演算し、その絶対値を出力する絶対値作成手段と、前記絶対値作成手段の出力を入力とし、前記差分信号の極性が正の領域における入力信号のゲインをコントロールし出力する前段ゲインコントロール手段と、前記絶対値作成手段の出力を入力とし、前記差分信号の極性が負の領域における入力信号のゲインをコントロールし出力する後段ゲインコントロール手段と、前記前段ゲインコントロール手段の出力と、前記後段ゲインコントロール手段の出力とを加算し出力する加算手段と、前記加算手段の出力を入力とし、直線で示される前記入力信号を適当な次数に変換し出力するパラボラ波発生手段とを備え、ＣＲＴ表示領域端のフォーカスを上下若しくは左右別々に調整できることを特徴とするパラボラ信号発生装置であり、絶対値信号の折り返し点をセンターとし、その前段の信号波形に対するアンプゲインと後段の信号波形に対するアンプゲインをそれぞれ独立に制御することにより、ＣＲＴ上下端若しくは左右端のフォーカスを別々に調整できるという作用を有する。
【００１０】
本発明の請求項２に記載の発明は、請求項１に記載の絶対値作成手段において、設定値を可変とすることを特徴とする請求項１に記載のパラボラ信号発生装置であり、上述のＣＲＴ上下端若しくは左右端に加え、ＣＲＴセンターのフォーカスも独立して制御することにより、さらに精度の高い調整を行えるという作用を有する。
【００１１】
以下本発明の実施の形態について、図面を参照しながら説明する。
【００１２】
（実施の形態１）
図１は本発明の第１の実施例におけるパラボラ信号発生装置のブロック構成図を示すものである。図１において、１０１は入力端子である。１０２はのこぎり波発生装置である。１０３は絶対値作成装置であり、入力されたのこぎり波信号とＲｅｆの差分をとり、一方の出力端からは符号が負であるときはその絶対値を出力し正であるときは零レベルを出力し、またもう一方の出力端からは符号が正であるときはその絶対値を出力し負であるときは零レベルを出力する。
１０４は前段用ゲインコントロール、１０５は後段用ゲインコントロール装置である。１０６は加算装置であり、１０７はパラボラ波発生装置であり、直線で表されるのこぎり波を高次曲線に変換する装置である。ここでは単に入力を２乗して出力する装置を用いている。１０８はバイアス信号入力端子である。
【００１３】
以上のように構成されたパラボラ信号発生装置について、以下図１及び図２を用いてその動作を説明する。
まず図２はパラボラ信号発生装置の動作信号波形を示すものである。図２（ａ）で示されるような同期パルス１０Ａが入力端子１０１に入力される。１０Ａはのこぎり波発生装置１０２に入力され図２（ｂ）様ののこぎり波１０Ｂを得る。絶対値作成装置１０３において、１０Ｂに対しのこぎり波のセンター値に設定されたバイアス設定値１０Ｉを作用させ、上述のように正の絶対値信号１０Ｃと、負の絶対値信号１０Ｄを、図２（ｃ）及び（ｄ）に示すような波形として得る。
１０４、１０５はそれぞれゲインコントロール装置であり、１０Ｊ、１０Ｋで別々に設定された倍率で入力信号をアンプし、出力信号１０Ｅ、１０Ｆを得る。１０Ｅ、１０Ｆは加算装置１０６で加算され、図２（ｅ）で示すようなＡ点、Ｂ点でゲインの異なるのこぎり波折り返し信号１０Ｇを得る。得られた１０Ｇをパラボラ波発生装置１０７で２乗の演算を行い、出力パラボラ信号１０Ｈを得る。
以上のように本実施例によれば、のこぎり波の折り返し点の前段と後段のゲインを別々に制御するような２つのゲインコントロール装置を設けることにより、ＣＲＴ上下端若しくは左右端のフォーカスを別々に調整することができる。
【００１４】
（実施の形態２）
本発明の第２の実施例におけるパラボラ信号発生装置のブロック構成図は、実施の形態１と同様図１で示される。実施の形態１と異なる点は、バイアス端子１０８から入力されるバイアス信号１０Ｉのレベルが可変であるということである。
【００１５】
以上のように構成されたパラボラ信号発生装置について、以下図３を用いてその動作を説明する。
【００１６】
まず図３は実施の形態１と同様、パラボラ信号発生装置の動作信号波形を示すものであって、１０Ｂを得るまでは実施の形態１と同様である。得られたのこぎり波に対してバイアス設定値１０ＩをＲｅｆとして作用させるが、例えば１０Ｉをセンター値Ｒｅｆ１からＲｅｆ２へレベルシフトしたとすると、のこぎり波の折り返し点も左右方向のセンターからシフトされ、左右非対称な波形でつくられた正の絶対値信号１０Ｃと、負の絶対値信号１０Ｄを得る。１０４及び１０５のゲインコントロール装置以降は実施の形態１と同様の動作であるので詳細は省略するが、結果、センター位置が異なり、Ａ点、Ｂ点のゲインも異なるパラボラ信号出力１０Ｈを得る。
以上のように本実施例によれば、絶対値作成装置のＲｅｆ入力を任意の値に設定できるシステムを設けることにより、ＣＲＴ上下端若しくは左右端に加え、ＣＲＴセンターのフォーカスも独立して制御することができ、さらに精度の高いＤＡＦの設定を行うことができる。
なお、第１の実施例においてパラボラ波発生装置は２乗の演算装置としたが、任意の設定値により任意の次数演算を行う装置でもよい。
【００１７】
【発明の効果】
以上のように本発明は、のこぎり波の折り返し点の前段と後段のゲインを別々に制御するような２つのゲインコントロール装置と、絶対値作成装置のリファレンス入力を任意の値に設定できるシステムを設けることにより、ＣＲＴ上下端若しくは左右端に加え、ＣＲＴセンターのフォーカスも独立して制御することができ、精度の高いＤＡＦの設定を行うことができる。
【図面の簡単な説明】
【図１】本発明の第１及び第２の実施例におけるパラボラ信号発生装置のブロック構成図
【図２】本発明の第１の実施例におけるパラボラ信号発生装置の動作説明図
【図３】本発明の第２の実施例におけるパラボラ信号発生装置の動作説明図
【図４】従来のパラボラ信号発生装置のブロック構成図
【図５】従来のパラボラ信号発生装置の動作説明図
【符号の説明】
１０１、１０８、４０１、４０７  入力端子
１０２、４０２  のこぎり波発生装置
１０３  絶対値作成装置
１０４、１０５  ゲインコントロール装置
１０６  加算装置
１０７  パラボラ波発生装置
４０３  絶対値出力装置
４０４  対数アンプ装置
４０５  直線アンプ装置
４０６  逆対数アンプ装置
【図１】
0004374677.tif 000002
【図２】
0004374677.tif 000003
【図３】
0004374677.tif 000004
【図４】
0004374677.tif 000005
【図５】
0004374677.tif 000006